(57)【要約】【課題】シートの積層形成装置及び輪転印刷機において、シートを安定して搬送することで製品品質の向上を図る。【解決手段】折帖Ｓを高速で搬送する高速搬送ベルト３９，４０，４１，４２，４３と、高速搬送ベルト３９，４０，４１，４２，４３より折帖Ｓの搬送方向の下流側に設けられて上面部で折帖Ｓを支持して低速で搬送する低速搬送ベルト４４，４５，４６，４７とを設けると共に、高速上搬送ベルト３９，４１により搬送される折帖Ｓの後端部を下方に押し下げるキッカー６２を設け、このキッカー６２より折帖Ｓの搬送方向の上流側に折帖Ｓの後端部側を挟持して減速させる減速ローラ６３，６４を設ける。【選択図】      図１
2009096630.tif 000002
【特許請求の範囲】
【請求項１】
連続して搬送されるシートの少なくとも一部をラップさせるシートの積層形成装置において、
シートを高速で搬送する高速搬送ベルトと、
該高速搬送ベルトよりシート搬送方向の下流側に設けられて上面部でシートを支持して低速で搬送する低速搬送ベルトと、
前記高速搬送ベルトにより搬送されるシートの後端部を下方に押し下げるシート押し下げ機構と、
該シート押し下げ機構よりシート搬送方向の上流側に設けられてシートの後端部側を挟持して減速させる減速機構と、
を備えることを特徴とするシートの積層形成装置。
【請求項２】
前記減速機構は、前記高速搬送ベルトによるシート搬送速度より低速で、且つ、前記低速搬送ベルトによるシート搬送速度より高速で回転してシート搬送経路を挟んで互いに対向して設けられる一対の減速ローラを有し、該一対の減速ローラの少なくとも一方側の外周面にシートを所定時間の間だけ挟持する挟持部が設けられることを特徴とする請求項１に記載のシートの積層形成装置。
【請求項３】
前記シート押し下げ機構は、前記一対の減速ローラによる挟持が解除されたシートの後端部を下方に押し下げることを特徴とする請求項２に記載のシートの積層形成装置。
【請求項４】
前記シート押し下げ機構により下方に押し下げられたシートの後端部を保持して浮き上がりを阻止するシート保持機構を設けることを特徴とする請求項１から３のいずれか一つに記載のシートの積層形成装置。
【請求項５】
前記シート保持機構は、シートの後端部における幅方向端部を係止するガイド部材を有することを特徴とする請求項２または３に記載のシートの積層形成装置。
【請求項６】
前記シート保持機構は、シートの搬送速度に応じて前記ガイド部材を上下に移動可能なガイド移動機構を有することを特徴とする請求項５に記載のシートの積層形成装置。
【請求項７】
前記シート押し下げ機構は、シート搬送方向の上流側から下流側に並んで設けられる第１シート押し下げ機構及び第２シート押し下げ機構を有することを特徴とする請求項１から４のいずれか一つに記載のシートの積層形成装置。
【請求項８】
前記第１シート押し下げ機構及び前記第２シート押し下げ機構は、シートの搬送に同期して回転する第１カムローラ及び第２カムローラを有し、前記第１カムローラ及び前記第２カムローラの外周部にシートの後端部を押し下げる第１突出部及び第２突出部が設けられ、前記高速搬送ベルトにより搬送されるシートに対して、前記第２突出部がシートの後端部を下方に押し下げた後、前記第１突出部がシートの後端部を押し下げることを特徴とする請求項７に記載のシートの積層形成装置。
【請求項９】
連続して搬送されるシートの少なくとも一部をラップさせるシートの積層形成装置において、
シートを高速で搬送する高速搬送ベルトと、
該高速搬送ベルトよりシート搬送方向の下流側に設けられて上面部でシートを支持して低速で搬送する低速搬送ベルトと、
前記高速搬送ベルトにより搬送されるシートの後端部を下方に押し下げるシート押し下げ機構と、
該シート押し下げ機構より下方に押し下げられたシートの後端部を保持して浮き上がりを阻止するシート保持機構と、
を備えることを特徴とするシートの積層形成装置。
【請求項１０】
前記シート保持機構は、シートの後端部における幅方向端部を係止するガイド部材を有することを特徴とする請求項２または３に記載のシートの積層形成装置。
【請求項１１】
前記シート保持機構は、シートの搬送速度に応じて前記ガイド部材を上下に移動可能なガイド移動機構を有することを特徴とする請求項５に記載のシートの積層形成装置。
【請求項１２】
ウェブを供給する給紙装置と、
該給紙装置から供給されたウェブに対して印刷を施す印刷装置と、
該印刷装置により印刷が施されたウェブのインキを乾燥する乾燥装置と、
該乾燥装置によりインキが乾燥したウェブを裁断して所定の折帖を形成する折り装置と、
該折り装置により形成された折帖を積層して排出する排紙装置とを備える輪転印刷機において、
前記排紙装置は、連続して搬送される折帖の一部をラップさせる積層形成装置を有し、
該積層形成装置は、
シートを高速で搬送する高速搬送ベルトと、
該高速搬送ベルトよりシート搬送方向の下流側に設けられて上面部でシートを支持して低速で搬送する低速搬送ベルトと、
前記高速搬送ベルトにより搬送されるシートの後端部を下方に押し下げるシート押し下げ機構と、
該シート押し下げ機構よりシート搬送方向の上流側に設けられてシートの後端部側を挟持して減速させる減速機構と、
を有することを特徴とする輪転印刷機。
【請求項１３】
ウェブを供給する給紙装置と、
該給紙装置から供給されたウェブに対して印刷を施す印刷装置と、
該印刷装置により印刷が施されたウェブのインキを乾燥する乾燥装置と、
該乾燥装置によりインキが乾燥したウェブを裁断して所定の折帖を形成する折り装置と、
該折り装置により形成された折帖を積層して排出する排紙装置とを備える印刷機において、
前記排紙装置は、連続して搬送される折帖の一部をラップさせる積層形成装置を有し、
該積層形成装置は、
シートを高速で搬送する高速搬送ベルトと、
該高速搬送ベルトよりシート搬送方向の下流側に設けられて上面部でシートを支持して低速で搬送する低速搬送ベルトと、
前記高速搬送ベルトにより搬送されるシートの後端部を下方に押し下げるシート押し下げ機構と、
該シート押し下げ機構より下方に押し下げられたシートの後端部を保持して浮き上がりを阻止するシート保持機構と、
を有することを特徴とする輪転印刷機。
【発明の詳細な説明】
【技術分野】
【０００１】
本発明は、連続して搬送されるシートや折帖をラップさせるシートの積層形成装置、並びにこのシートの積層形成装置を有する輪転印刷機に関するものである。
【背景技術】
【０００２】
一般に、オフセット輪転印刷機は、給紙装置とインフィード装置と印刷装置と乾燥装置と冷却装置とウェブパス装置と折り装置と排紙装置とから構成されている。給紙装置は、２つの巻取体（ウェブロール）が装着されるリールスタンドを有しており、一方の巻取体から引き出されて走行しているウェブを、他方の巻取体のウェブに接続することで、連続的にウェブを供給可能な印刷機を有している。インフィード装置は、給紙装置の巻取体から引き出されたウェブを所定の速度で印刷装置に供給するものである。印刷装置は、一般的にブラック、シアン、マゼンダ、イエローの４色それぞれに対応した４組の印刷ユニットがウェブ走行方向に沿って並設されている。乾燥装置は、印刷装置により印刷が施されたウェブ上のインキを乾燥させるためのものであり、冷却装置は、乾燥装置での乾燥後の過剰な熱を蓄えるウェブを適当な温度まで冷却するものである。ウェブパス装置は、乾燥されて冷却されたウェブを搬送するものであり、折り装置は、ウェブを縦折りされた後に裁断し、所定の大きさに折り畳んで折帖を形成するものであり、排紙装置は、折り畳まれた折帖を所定の形態で機外へ搬出するものである。
【０００３】
従って、給紙装置により巻取体からロール状のウェブが引き出され、このウェブがインフィード装置により所定の速度で印刷装置に供給され、この印刷装置における各印刷ユニットにより多色印刷が施され、印刷されたウェブは、乾燥装置でインキが乾燥され、冷却装置で冷却され、ウェブパス装置を経て搬送された折り装置により折帖が作成され、排紙装置により所定の形態で搬出される。
【０００４】
このようなオフセット輪転印刷機にて、排紙装置では、印刷後に乾燥及び冷却されたウェブを所定の長さごとに断裁し、これを折り畳んで折帖を形成した後、この折帖を所定長さだけラップして重ね、最終的に上下に重ねてブロック状にして排出している。このようなオフセット輪転印刷機としては、例えば、下記特許文献１に記載されたものがある。
【０００５】
この特許文献１に記載された輪転印刷機の排紙装置は、低速ベルトとこの低速ベルトの入側上方に高速ベルトを設け、低速ベルトの入側上方に先行する紙と次の紙との上下関係を一定に保つスナッバを設けると共に、低速ベルトの出側上方に低速ベルト上に紙をずれ重ねするブレーキングローラを設け、スナッバとブレーキングローラとの間の低速ベルトの上方に紙を一次減速させるスローダウンプーリを設けることで、紙がスナッバにより低速ベルト上に落し込まれた後、スローダウンプーリ及びブレーキングローラにより二段減速して排紙するものである。
【０００６】
【特許文献１】特許第２７０８２４３号公報
【発明の開示】
【発明が解決しようとする課題】
【０００７】
上述した従来の輪転印刷機の排紙装置では、紙をスナッバにより低速ベルト上に落し込んだ後、スローダウンプーリ及びブレーキングローラにより二段減速することで、紙先端がブレーキングローラに当るときの衝撃が小さくなり、紙の損傷を未然に回避することができる。
【０００８】
ところが、紙を減速する場合、この紙に対してスローダウンプーリやブレーキングローラを押圧しても、その紙を安定させた状態で搬送することは困難である。即ち、従来の排紙装置では、紙をスナッバにより低速ベルト上に落し込んだ後、スローダウンプーリで紙の先端部側を押圧して減速させている。そのため、紙の後端部側が減速されず、この紙が上下に撓んだり、幅方向にずれて損傷してしまうおそれがある。
【０００９】
また、紙は連続して排紙装置に搬送されており、従来の排紙装置のように、紙をスナッバにより低速ベルト上に落し込んでから、スローダウンプーリにより減速させて排紙すると、先行する紙の後端部が、次に搬送されてくる紙の先端部に接触し、紙の端部が折れて損傷してしまうおそれがある。この場合、紙が巻取紙であるとき、搬送される紙には巻取癖が付いており、また、薄紙や折り畳まれた折帖などは後端部の腰が弱いことから、スナッバにより落し込まれたとき、後端部側が暴れ、次に搬送されてくる紙の先端と接触し、折れ込みや紙詰まりなどが発生するおそれがある。
【００１０】
本発明は上述した課題を解決するものであり、シートを安定して搬送することで製品品質の向上を図るシートの積層形成装置及び輪転印刷機を提供することを目的とする。
【課題を解決するための手段】
【００１１】
上記の目的を達成するための請求項１の発明のシートの積層形成装置は、連続して搬送されるシートの少なくとも一部をラップさせるシートの積層形成装置において、シートを高速で搬送する高速搬送ベルトと、該高速搬送ベルトよりシート搬送方向の下流側に設けられて上面部でシートを支持して低速で搬送する低速搬送ベルトと、前記高速搬送ベルトにより搬送されるシートの後端部を下方に押し下げるシート押し下げ機構と、該シート押し下げ機構よりシート搬送方向の上流側に設けられてシートの後端部側を挟持して減速させる減速機構と、を備えることを特徴とするものである。
【００１２】
請求項２の発明のシートの積層形成装置では、前記減速機構は、前記高速搬送ベルトによるシート搬送速度より低速で、且つ、前記低速搬送ベルトによるシート搬送速度より高速で回転してシート搬送経路を挟んで互いに対向して設けられる一対の減速ローラを有し、該一対の減速ローラの少なくとも一方側の外周面にシートを所定時間の間だけ挟持する挟持部が設けられることを特徴としている。
【００１３】
請求項３の発明のシートの積層形成装置では、前記シート押し下げ機構は、前記一対の減速ローラによる挟持が解除されたシートの後端部を下方に押し下げることを特徴としている。
【００１４】
請求項４の発明のシートの積層形成装置では、前記シート押し下げ機構により下方に押し下げられたシートの後端部を保持して浮き上がりを阻止するシート保持機構を設けることを特徴としている。
【００１５】
請求項５の発明のシートの積層形成装置では、前記シート保持機構は、シートの後端部における幅方向端部を係止するガイド部材を有することを特徴としている。
【００１６】
請求項６の発明のシートの積層形成装置では、前記シート保持機構は、シートの搬送速度に応じて前記ガイド部材を上下に移動可能なガイド移動機構を有することを特徴としている。
【００１７】
請求項７の発明のシートの積層形成装置では、前記シート押し下げ機構は、シート搬送方向の上流側から下流側に並んで設けられる第１シート押し下げ機構及び第２シート押し下げ機構を有することを特徴としている。
【００１８】
請求項８の発明のシートの積層形成装置では、前記第１シート押し下げ機構及び前記第２シート押し下げ機構は、シートの搬送に同期して回転する第１カムローラ及び第２カムローラを有し、前記第１カムローラ及び前記第２カムローラの外周部にシートの後端部を押し下げる第１突出部及び第２突出部が設けられ、前記高速搬送ベルトにより搬送されるシートに対して、前記第２突出部がシートの後端部を下方に押し下げた後、前記第１突出部がシートの後端部を押し下げることを特徴としている。
【００１９】
請求項９の発明のシートの積層形成装置は、連続して搬送されるシートの少なくとも一部をラップさせるシートの積層形成装置において、シートを高速で搬送する高速搬送ベルトと、該高速搬送ベルトよりシート搬送方向の下流側に設けられて上面部でシートを支持して低速で搬送する低速搬送ベルトと、前記高速搬送ベルトにより搬送されるシートの後端部を下方に押し下げるシート押し下げ機構と、該シート押し下げ機構より下方に押し下げられたシートの後端部を保持して浮き上がりを阻止するシート保持機構と、を備えることを特徴とするものである。
【００２０】
請求項１０の発明のシートの積層形成装置では、前記シート保持機構は、シートの後端部における幅方向端部を係止するガイド部材を有することを特徴としている。
【００２１】
請求項１１の発明のシートの積層形成装置では、前記シート保持機構は、シートの搬送速度に応じて前記ガイド部材を上下に移動可能なガイド移動機構を有することを特徴としている。
【００２２】
また、請求項１２の発明の輪転印刷機は、ウェブを供給する給紙装置と、該給紙装置から供給されたウェブに対して印刷を施す印刷装置と、該印刷装置により印刷が施されたウェブのインキを乾燥する乾燥装置と、該乾燥装置によりインキが乾燥したウェブを裁断して所定の折帖を形成する折り装置と、該折り装置により形成された折帖を積層して排出する排紙装置とを備える印刷機において、前記排紙装置は、連続して搬送される折帖の一部をラップさせる積層形成装置を有し、該積層形成装置は、シートを高速で搬送する高速搬送ベルトと、該高速搬送ベルトよりシート搬送方向の下流側に設けられて上面部でシートを支持して低速で搬送する低速搬送ベルトと、前記高速搬送ベルトにより搬送されるシートの後端部を下方に押し下げるシート押し下げ機構と、該シート押し下げ機構よりシート搬送方向の上流側に設けられてシートの後端部側を挟持して減速させる減速機構と、を有することを特徴とするものである。
【００２３】
また、請求項１３の発明の輪転印刷機は、ウェブを供給する給紙装置と、該給紙装置から供給されたウェブに対して印刷を施す印刷装置と、該印刷装置により印刷が施されたウェブのインキを乾燥する乾燥装置と、該乾燥装置によりインキが乾燥したウェブを裁断して所定の折帖を形成する折り装置と、該折り装置により形成された折帖を積層して排出する排紙装置とを備える印刷機において、前記排紙装置は、連続して搬送される折帖の一部をラップさせる積層形成装置を有し、該積層形成装置は、シートを高速で搬送する高速搬送ベルトと、該高速搬送ベルトよりシート搬送方向の下流側に設けられて上面部でシートを支持して低速で搬送する低速搬送ベルトと、前記高速搬送ベルトにより搬送されるシートの後端部を下方に押し下げるシート押し下げ機構と、該シート押し下げ機構より下方に押し下げられたシートの後端部を保持して浮き上がりを阻止するシート保持機構と、を有することを特徴とするものである。
【発明の効果】
【００２４】
請求項１の発明のシートの積層形成装置によれば、シートを高速で搬送する高速搬送ベルトと、この高速搬送ベルトよりシート搬送方向の下流側に設けられて上面部でシートを支持して低速で搬送する低速搬送ベルトとを設け、高速搬送ベルトにより搬送されるシートの後端部を下方に押し下げるシート押し下げ機構と、このシート押し下げ機構よりシート搬送方向の上流側に設けられてシートの後端部側を挟持して減速させる減速機構とを設けている。従って、高速搬送ベルトより高速で搬送されるシートに対して、減速機構がそのシートの後端部側を挟持して減速させることでシートの姿勢を安定させることができ、この状態でシート押し下げ機構がシートの後端部を下方に押し下げ、シートを低速搬送ベルトに移行して低速で搬送し、シートを適正にラップさせることができ、製品品質を向上することができる。
【００２５】
請求項２の発明のシートの積層形成装置によれば、減速機構として、高速搬送ベルトによるシート搬送速度より低速で、且つ、前記低速搬送ベルトによるシート搬送速度より高速で回転してシート搬送経路を挟んで互いに対向して設けられる一対の減速ローラを設け、この一対の減速ローラの少なくとも一方側の外周面にシートを所定時間の間だけ挟持する挟持部を設けるので、高速搬送ベルトにより搬送されるシートに対して、所定速度で回転する一対の減速ローラの挟持部が所定時間だけ挟持して減速することとなり、簡単な構成でシートの搬送姿勢にほとんど影響を与えずに適正に減速することができる。
【００２６】
請求項３の発明のシートの積層形成装置によれば、シート押し下げ機構は、一対の減速ローラによる挟持が解除されたシートの後端部を下方に押し下げるので、シートは、減速された後に減速ローラから解除された状態で、シート押し下げ機構により後端部が下方に押し下げられることとなり、シートを適正に高速搬送ベルトから離間させることができる。
【００２７】
請求項４の発明のシートの積層形成装置によれば、シート押し下げ機構により下方に押し下げられたシートの後端部を保持して浮き上がりを阻止するシート保持機構を設けるので、シートは、シート押し下げ機構より下方に押し下げられた後、シートの後端部がシート保持機構により保持されて浮き上がりが阻止されることとなり、シートを安定して搬送することで、次に搬送されるシートとの接触を回避し、シートの損傷を防止することができる。
【００２８】
請求項５の発明のシートの積層形成装置によれば、シート保持機構として、シートの後端部における幅方向端部を係止するガイド部材を設けるので、ガイド部材によりシートの後端部における幅方向端部が係止されることとなり、シートにおける側部の暴れが抑制され、次に搬送されるシートとの接触を適正に防止することができる。
【００２９】
請求項６の発明のシートの積層形成装置によれば、シート保持機構として、シートの搬送速度に応じてガイド部材を上下に移動可能なガイド移動機構を設けるので、ガイド移動機構によりシートの搬送速度に応じてガイド部材を上下に移動調整することが可能となり、シートの後端部の暴れを適正に抑制することができる。
【００３０】
請求項７の発明のシートの積層形成装置によれば、シート押し下げ機構として、シート搬送方向の上流側から下流側に並んだ第１シート押し下げ機構及び第２シート押し下げ機構を設けるので、シートは、第１シート押し下げ機構及び第２シート押し下げ機構により連続して後端部が下方に押し下げられることとなり、このシートを安定して低速搬送ベルトに移行して低速で搬送することができる。
【００３１】
請求項８の発明のシートの積層形成装置によれば、第１シート押し下げ機構及び第２シート押し下げ機構として、シートの搬送に同期して回転する第１カムローラ及び第２カムローラを設け、第１カムローラ及び第２カムローラの外周部にシートの後端部を押し下げる第１突出部及び第２突出部を設け、搬送されるシートに対して、第２突出部がシートの後端部を下方に押し下げた後、第１突出部がシートの後端部を押し下げるので、シートは、第２カムローラの第２突出部により後端部が押し下げられた後、続いて、第１カムローラの第１突出部により後端部が押し下げられることとなり、このシートを長期間にわたって安定して搬送し、適正に低速搬送ベルトに移行することができる。
【００３２】
請求項９の発明のシートの積層形成装置によれば、シートを高速で搬送する高速搬送ベルトと、この高速搬送ベルトよりシート搬送方向の下流側に設けられて上面部でシートを支持して低速で搬送する低速搬送ベルトとを設け、高速搬送ベルトにより搬送されるシートの後端部を下方に押し下げるシート押し下げ機構と、このシート押し下げ機構より下方に押し下げられたシートの後端部を保持して浮き上がりを阻止するシート保持機構とを設けている。従って、高速搬送ベルトより高速で搬送されるシートに対して、シート押し下げ機構がシートの後端部を下方に押し下げ、シートを高速搬送ベルトから離間すると、シート保持機構によりこのシートの後端部が保持されて浮き上がりが阻止されることとなり、シートを安定して搬送することで、次に搬送されるシートとの接触を防止し、シートを低速搬送ベルトに移行して低速で搬送し、シートを適正にラップさせることができ、製品品質を向上することができる。
【００３３】
請求項１０の発明のシートの積層形成装置によれば、シート保持機構として、シートの後端部における幅方向端部を係止するガイド部材を設けるので、ガイド部材によりシートの後端部における幅方向端部が係止されることとなり、シートにおける側部の暴れが抑制され、次に搬送されるシートとの接触を適正に防止することができる。
【００３４】
請求項１１の発明のシートの積層形成装置によれば、ガイド移動機構によりシートの搬送速度に応じてガイド部材を上下に移動調整することが可能となり、シートの後端部の暴れを適正に抑制することができる。
【００３５】
また、請求項１２の発明の輪転印刷機によれば、給紙装置と印刷装置と乾燥装置と折り装置と排紙装置とを設けて構成し、排紙装置に積層形成装置を設け、この積層形成装置を、高速搬送ベルトと、低速搬送ベルトと、高速搬送ベルトにより搬送されるシートの後端部を下方に押し下げるシート押し下げ機構と、このシート押し下げ機構よりシート搬送方向の上流側に設けられてシートの後端部側を挟持して減速させる減速機構とで構成している。従って、排紙装置にて、高速搬送ベルトより高速で搬送されるシートに対して、減速機構がそのシートの後端部側を挟持して減速させることでシートの姿勢を安定させることができ、この状態でシート押し下げ機構がシートの後端部を下方に押し下げ、シートを低速搬送ベルトに移行して低速で搬送し、シートを適正にラップさせることができ、製品品質を向上することができる。
【００３６】
また、請求項１３の発明の輪転印刷機によれば、給紙装置と印刷装置と乾燥装置と折り装置と排紙装置とを設けて構成し、排紙装置に積層形成装置を設け、この積層形成装置を、高速搬送ベルトと、低速搬送ベルトと、高速搬送ベルトにより搬送されるシートの後端部を下方に押し下げるシート押し下げ機構と、このシート押し下げ機構より下方に押し下げられたシートの後端部を保持して浮き上がりを阻止するシート保持機構とで構成している。従って、排紙装置にて、高速搬送ベルトより高速で搬送されるシートに対して、シート押し下げ機構がシートの後端部を下方に押し下げ、シートを高速搬送ベルトから離間すると、シート保持機構によりこのシートの後端部が保持されて浮き上がりが阻止されることとなり、シートを安定して搬送することで、次に搬送されるシートとの接触を防止し、シートを低速搬送ベルトに移行して低速で搬送し、シートを適正にラップさせることができ、製品品質を向上することができる。
【発明を実施するための最良の形態】
【００３７】
以下に添付図面を参照して、本発明に係るシートの積層形成装置及び輪転印刷機の好適な実施例を詳細に説明する。なお、この実施例により本発明が限定されるものではない。
【実施例１】
【００３８】
図１は、本発明の実施例１に係るシートの積層形成装置を表す概略正面図、図２は、実施例１のシートの積層形成装置を表す概略平面図、図３−１から図３−６は、実施例１のシートの積層形成装置の作用を表す概略図、図４は、実施例１のシートの積層形成装置が適用された折装置の概略図、図５は、実施例１のシートの積層形成装置が適用されたオフセット輪転印刷機を表す概略図である。
【００３９】
本実施例の輪転印刷機は、オフセット輪転印刷機であって、図５に示すように、給紙装置１１と、インフィード装置１２と、印刷装置１３と、乾燥装置１４と、冷却装置１５と、ウェブパス装置１６と、折り装置１７と、排紙装置１８とから構成されている。
【００４０】
給紙装置１１は、２つの巻取体（ウェブロール）が装着されるリールスタンドを有しており、一方の巻取体から引き出されて走行しているウェブを、他方の巻取体のウェブに接続することで、連続的にウェブを供給可能となっている。インフィード装置１２は、給紙装置１１のウェブを印刷装置１３側に供給するものである。印刷装置１３は、４つのインキ色である藍（Cyan）、紅（Magenta）、黄（yellow）、墨（Black）ごとの４個の印刷ユニット２１，２２，２３，２４がウェブ走行方向に沿って並設されて構成されている。乾燥装置１４は、印刷装置１３により印刷が施されたウェブ上のインキを乾燥させるためのものであり、冷却装置１５は、乾燥装置１４での乾燥後の過剰な熱を蓄えるウェブを適当な温度まで冷却するものである。ウェブパス装置１６は、乾燥されて冷却されたウェブを搬送するものであり、折り装置１７は、ウェブを縦折りされた後に裁断し、所定の大きさに折り畳んで折帖を形成するものであり、排紙装置１８は、折り畳まれた折帖を所定の形態で機外へ搬出するものである。
【００４１】
従って、給紙装置１１により巻取体からロール状のウェブＷが引き出され、インフィード装置１２により印刷装置１３に供給され、この印刷装置１３にて、各印刷ユニット２１，２２，２３，２４により多色印刷が施され、印刷されたウェブＷは、乾燥装置１４でインキが乾燥され、冷却装置１５で冷却され、ウェブパス装置１６を経て搬送された折り装置１７により折帖が作成され、排紙装置１８により所定の形態で搬出される。
【００４２】
ところで、本実施例のオフセット輪転印刷機では、折り装置１７によりウェブが縦折りされた後に裁断され、横折されて折帖が作成された後、排紙装置１８にて、先行する折帖の後端部に後続の折帖の先端部が重ねられることで、複数の折帖が刺身状に重ねられ、その後、この複数の折帖が上下に積層されてブロック状となって排出されるようになっている。
【００４３】
ここで、本実施例のオフセット輪転印刷機における折り装置１７及び排紙装置１８について詳細に説明する。
【００４４】
本実施例の折り装置１７及び排紙装置１８において、図４に示すように、折り装置１７の最上部には、ウェブＷを縦折りする２つのフォーマ（三角板）３１，３２が設けられ、このフォーマ３１，３２の下方に、一対のニッピングローラ３３，３４が設けられている。そして、ニッピングローラ３３，３４の下方に断裁胴３５及び受胴３６が対向して設けられている。
【００４５】
断裁胴３５及び受胴３６の下方には、シート送り胴３７が設けられると共に、このシート送り胴３７の下方に隣接して振り分け装置３８が設けられている。この振り分け装置３８は、連続して搬送される折帖をシート送り胴３７から上方側の第１搬送経路Ａと下方側の第２搬送経路Ｂに振り分けるものである。そのため、受胴３６からシート送り胴３７を介して第１搬送経路Ａの上方側に位置して第１高速上搬送ベルト３９が設けられると共に、シート送り胴３７から第１搬送経路Ａの下方側に位置して第１高速下搬送ベルト４０が設けられている。また、シート送り胴３７から第２搬送経路Ｂの上方側に位置して第２高速上搬送ベルト４１が設けられると共に、シート送り胴３７から第２搬送経路Ｂの下方側に位置して第２高速下搬送ベルト４２が設けられている。なお、断裁胴３５からシート送り胴３７まで第１高速上搬送ベルト３９の一部に対向して高速搬送ベルト４３が設けられている。
【００４６】
第１高速上搬送ベルト３９に隣接して第１搬送経路Ａの上方側に位置する第１低速上搬送ベルト４４が設けられると共に、第１高速下搬送ベルト４０に隣接して第１搬送経路Ａの下方側に位置する第１低速下搬送ベルト４５が設けられている。また、第２高速上搬送ベルト４１に隣接して第２搬送経路Ｂの上方側に位置する第２低速上搬送ベルト４６が設けられると共に、第２高速下搬送ベルト４２に隣接して第２搬送経路Ｂの下方側に位置する第２低速下搬送ベルト４７が設けられている。
【００４７】
即ち、第１高速上搬送ベルト３９及び第１低速上搬送ベルト４４に対向して第１高速下搬送ベルト４０及び第１低速下搬送ベルト４５が設けられることで、折帖の第１搬送経路Ａが形成され、第２高速上搬送ベルト４１及び第２低速上搬送ベルト４６に対向して第２高速下搬送ベルト４２及び第２低速下搬送ベルト４７が設けられることで、折帖の第２搬送経路Ｂが形成されている。振り分け装置３８は、シート送り胴３７に対向して揺動可能なブレードを有しており、このブレードを所定の方向に揺動させることで、搬送される折帖を第１搬送経路Ａまたは第２搬送経路Ｂに振り分けることができる。
【００４８】
第１搬送経路Ａ及び第２搬送経路Ｂには、第１高速上搬送ベルト３９の後端部に対して第１低速下搬送ベルト４５の前端部が重なるように設けられる位置に、第１積層形成装置（シートの積層形成装置）４８が設けられている。また、第２高速上搬送ベルト４１の後端部に対して第２低速下搬送ベルト４７の前端部が重なるように設けられる位置に、第２積層形成装置（シートの積層形成装置）４９が設けられている。この各積層形成装置４８，４９は、先行する折帖の後端部に後続の折帖の先端部を重ねることで、複数の折帖が刺身状に重ねるものである。そして、第１搬送経路Ａ及び第２搬送経路Ｂの後端部には、各積層形成装置４８，４９により刺身状に重ねられた複数の折帖を、上下に積層してブロック状の束にまとめる第１、第２ブロック形成装置５０，５１が設けられている。
【００４９】
従って、ウェブＷは、フォーマ３１，３２により縦折り及び横折りが施された後、ニッピングローラ３３，３４により挟持された状態で搬送され、回転する断裁胴３５及び受胴３６により断裁されて折帖が形成される。この折帖は、第１高速上搬送ベルト３９と高速搬送ベルト４３により挟持されて搬送され、第１高速上搬送ベルト３９と第２高速下搬送ベルト４２に受け渡され、シート送り胴３７にガイドされながら振り分け装置３８に順次搬送される。振り分け装置３８では、ブレードが揺動することで、折帖が第１搬送経路Ａ、または第２搬送経路Ｂに振分けられる。
【００５０】
そして、第１搬送経路Ａでは、折帖が、第１高速上搬送ベルト３９と第１高速下搬送ベルト４０に挟持されて搬送され、第１積層形成装置４８にて、第１高速上搬送ベルト３９から第１低速下搬送ベルト４５に受け渡されるときに刺身状に重ねられる。所定部数単位で刺身状に重ねられた折帖は、第１ブロック形成装置５０により所定部数のブロック状の束にまとめられ、搬送コンベアで搬出される。同様に、第２搬送経路Ｂでは、折帖が、第２高速上搬送ベルト４１と第２高速下搬送ベルト４２に挟持されて搬送され、第２積層形成装置４９にて、第２高速上搬送ベルト４１から第２低速下搬送ベルト４７に受け渡されるときに刺身状に重ねられる。所定部数単位で刺身状に重ねられた折帖は、第２ブロック形成装置５１により所定部数のブロック状の束にまとめられ、搬送コンベアで搬出される。
【００５１】
ところで、このように構成された排紙装置１８の各積層形成装置４８，４９では、先行する折帖の後端部に後続の折帖の先端部を重ねて刺身状とすることから、高速で搬送される折帖を減速して低速搬送することとなる。この場合、折帖は、紙が折り畳まれて構成されていることから、端部が暴れやすい性質を有している。そのため、折帖を減速するとき、この折帖が上下に撓んだり、幅方向にずれて損傷してしまうおそれがある。また、折帖は連続して搬送されており、減速時に、先行する紙の後端部が、次に搬送されてくる紙の先端部に接触し、折帖の端部が折れて損傷してしまうおそれがある。
【００５２】
そこで、本実施例では、各積層形成装置４８，４９が先行する折帖の後端部に後続の折帖の先端部を重ねて刺身状とするとき、この折帖の姿勢を安定して搬送することで、減速時や積層時における紙の損傷を防止するようにしている。
【００５３】
ここで、本実施例のオフセット輪転印刷機にて、排紙装置１８に設けられた第１、第２積層形成装置４８，４９について詳細に説明する。なお、この第１、第２積層形成装置４８，４９は、ほぼ同様の構成をなしていることから、以下では、第１積層形成装置４８についてのみ詳細に説明する。
【００５４】
第１積層形成装置４８において、図１及び図２に示すように、水平をなすテーブル６１の上面に対向して上述した第１高速上搬送ベルト３９が配設されており、この第１高速上搬送ベルト３９は、前端部がガイドプーリ３９ａに支持され、高速で走行可能となっている。第１低速上搬送ベルト４４は、後端部がガイドプーリ３９ａと同軸で相対回転自在なガイドプーリ４４ａ，４４ｂに支持され、低速で走行可能となっている。また、第１低速下搬送ベルト４５は、後端部が第１高速上搬送ベルト３９の前端部と所定の搬送領域で上下に重なるように配設され、複数のガイドプーリ４５ａ，４５ｂ・・・に支持され、低速で走行可能となっている。なお、第１高速上搬送ベルト３９に対して、第１低速下搬送ベルト４５は、所定の段差をもって位置している。また、各搬送ベルト３９，４４，４５は、図２に詳細に示すように、所定幅を有する複数（本実施例では２本）のベルトが幅方向に所定間隔をあけて並んで構成されている。
【００５５】
そして、第１高速上搬送ベルト３９とテーブル６１により挟持されて搬送される折帖Ｓの後端部を下方に押し下げるシート押し下げ機構（カム機構）としてのキッカー６２が設けられると共に、このキッカー６２より折帖Ｓの搬送方向の上流側に折帖Ｓの後端部側を挟持して減速させる減速機構としての一対の減速ローラ６３，６４が設けられている。
【００５６】
即ち、第１高速上搬送ベルト３９と第１低速下搬送ベルト４５（ガイドプーリ４５ａ）が対向する位置であって、第１高速上搬送ベルト３９の上方に折帖Ｓの搬送方向に直行する方向に沿う回転軸６５が図示しないフレームに回転自在に支持され、この回転軸６５の外周部に軸方向に所定間隔で上述したキッカー６２が固定されている。このキッカー６２はカムローラとして機能し、外周部が外方に突出する突出部６２ａが一体に形成されている。なお、各キッカー６２は、各第１高速上搬送ベルト３９の上方に対向しない位置に配設されている。
【００５７】
従って、テーブル６１と第１高速上搬送ベルト３９とにより挟持されて搬送される折帖Ｓは、回転するキッカー６２により第１高速上搬送ベルト３９から引き剥がされ、所定の段差をもって配設された下方の第１低速下搬送ベルト４５に受け渡すことができる。
【００５８】
また、第１高速上搬送ベルト３９の後端部で、第１低速下搬送ベルト４５（ガイドプーリ４５ａ）が対向しない位置であって、第１高速上搬送ベルト３９の上下に折帖Ｓの搬送方向に直行する方向に沿う一対の回転軸６６，６７が対向してフレームに回転自在に支持されている。そして、上回転軸６６の外周部に、軸方向に所定間隔で上減速ローラ６３が固定され、下回転軸６７の外周部に軸方向に所定間隔で上述した下減速ローラ６４が固定されている。この場合、各減速ローラ６３，６４は、上下に対向した位置に配設されると共に、各第１高速上搬送ベルト３９の上下に対向しない位置に配設されている。
【００５９】
また、減速ローラ６３，６４における外周部の周速は、第１高速上搬送ベルト３９の走行速度より低速で、各低速搬送ベルト４４，４５の走行速度より高速となっている。つまり、減速ローラ６３，６４よる折帖Ｓの搬送速度は、第１高速上搬送ベルト３９による折帖Ｓの搬送速度より低速で、且つ、各低速搬送ベルト４４，４５による折帖Ｓの搬送速度より高速に設定されている。そして、減速ローラ６３，６４は、第１搬送経路Ａを挟んで互いに上下に対向して設けられており、下減速ローラ６４は、外周面がほぼ真円状をなすのに対して、数減速ローラ６３は、外周面に外方に突出する突出部（挟持部）６３ａが形成されている。
【００６０】
従って、テーブル６１と第１高速上搬送ベルト３９とにより挟持されて搬送される折帖Ｓは、後端部が回転する上減速ローラ６３の突出部６３ａと下減速ローラ６４の外周面により所定時間の間だけ挟持されることで、この折帖Ｓの搬送速度を減速することができる。この場合、一対の減速ローラ６３，６４により高速で走行する折帖Ｓの後端部を一時的に挟持して減速することで、折帖Ｓを一時的に後方に引っ張って張りを与えて走行姿勢を安定するようにしている。その後、キッカー６２は、減速ローラ６３，６４による挟持が解除された折帖Ｓの後端部を下方に押し下げることとなる。
【００６１】
なお、回転軸６５と回転軸６６は、連結ベルト６８により連結されることで、同方向に同期回転可能となっており、回転軸６６，６７も同様に同方向に同期回転可能となっている。従って、キッカー６２と減速ローラ６３，６４は同速度で回転し、高速で走行する折帖Ｓに対して同期して作用することができる。
【００６２】
また、キッカー６２により下方に押し下げられた折帖Ｓの後端部を保持して浮き上がりを阻止するシート保持機構としてのガイド部材６９が設けられており、このガイド部材６９は、ガイド移動機構としてのエアシリンダ７０により、折帖Ｓの搬送速度に応じて上下に移動可能となっている。即ち、このガイド部材６９は、先端部が折帖Ｓの搬送方向に沿ってその上流側に延出され、折帖Ｓの搬送方向に直行する方向に屈曲する突出部６９ａが一体に形成されており、この突出部６９ａは、折帖Ｓの後端部における幅方向端部、つまり、折帖Ｓの後端側部を係止することで、折帖Ｓの後端部の浮き上がりを阻止している。一方、ガイド部材６９は、基端部にエアシリンダ７０のピストンロッド７０ａが連結されており、このエアシリンダ６０によりガイド部材６９を上下移動可能となっている。
【００６３】
従って、キッカー６２により第１高速上搬送ベルト３９から引き剥がされ、下方に押し下げられた折帖Ｓは、第１低速下搬送ベルト４５に受け渡され、このとき、折帖Ｓの後端側部がガイド部材６９の突出部６９ａに係止されることで、折帖Ｓの後端部の浮き上がりを阻止することができる。この場合、折帖Ｓの搬送速度に応じて、エアシリンダ７０によりガイド部材６９を上下に移動することで、折帖Ｓを適正に走行させることができる。
【００６４】
なお、第１高速上搬送ベルト３９の後端部と第１低速下搬送ベルト４５の前端部との間には、前端部が下方に傾斜したガイド板７１が設けられており、キッカー６２により下方に押し下げられた折帖Ｓを第１低速上搬送ベルト４４と第１低速下搬送ベルト４５との間に送り込むことができる。
【００６５】
このように構成された第１積層形成装置４８において、図４に示すように、振り分け装置３８により第１搬送経路Ａに案内された折帖Ｓ１は、第１高速上搬送ベルト３９と第１高速下搬送ベルト４０によりに挟持されて搬送され、第１低速搬送ベルト４４，４５側へ送られる。
【００６６】
すると、まず、図３−１に示すように、先行する折帖Ｓ１は、第１積層形成装置４８に至り、先端部が各減速ローラ６３，６４及びキッカー６２を通過し、後端部が第１高速上搬送ベルト３９とテーブル６１に支持された状態で、この先端部がガイド板７１にガイドされる。次に、図３−２に示すように、折帖Ｓ１は、先端部がガイド板７１にガイドされて第１低速上搬送ベルト４４と第１低速下搬送ベルト４５との間に送られる一方、後端部が一対の減速ローラ６３，６４により挟持されることで、そのニップ部により減速される。
【００６７】
このとき、折帖Ｓ１は、先端部側が第１高速上搬送ベルト３９により高速で走行する一方、後端部が減速ローラ６３，６４により挟持されるため、この折帖Ｓ１に張力が付与されることで姿勢が安定し、後端部の暴れが抑制される。その後、図３−３に示すように、減速ローラ６３，６４による挟持が解除されてから、キッカー６２が折帖Ｓ１の後端部を第１高速上搬送ベルト３９の搬出端と第１低速下搬送ベルト４５との間に形成した落差を利用して第１低速下搬送ベルト４５に向けて押し下げて落す。このとき、図３−４に示すように、折帖Ｓ１の後端部がガイド部材７１に係止されることで、暴れが抑制され、後続する折帖Ｓ２の先端部との接触が回避される。そして、図３−５に示すように、折帖Ｓ１の搬送速度の差と搬送ベルト３９，４５間の落差に加え、キッカー６２の作用により折帖Ｓ１の後端部が押し下げられることにより、後続の折帖Ｓ２の先端部が第１低速下搬送ベルト４５に落下した先行する折帖Ｓ１の後端部の上方にオーバーラップし、図３−６に示すように、刺身状に積層された状態で、第１低速上搬送ベルト４４と第１低速下搬送ベルト４５に挟持されて搬送される。
【００６８】
その後、図４に示すように、刺身状に積層された複数単位の折帖Ｓは、第１低速上搬送ベルト４４と第１低速下搬送ベルト４５に挟持されて搬送され、第１ブロック形成装置５０へ搬送され、紙押え部材により押えられて暴れが抑制されながら、ストッパに当接して先端部が揃えられ、上下に積層された折帖Ｓがブロック化される。そして、ブロック化された折帖ブロックは、コンベアにより搬送され、下流工程へ搬出される。
【００６９】
一方、振り分け装置３８により第２搬送経路Ｂに案内された折帖Ｓは、前述した第１搬送経路Ａに案内された折帖Ｓと同様に、第２高速上搬送ベルト４１と第２高速下搬送ベルト４２によりに挟持されて搬送され、第２積層形成装置４９にて、刺身状に積層された状態となり、第２ブロック形成装置５１にて、上下に積層されてブロック化され、下流工程へ搬出される。
【００７０】
このように実施例１のシートの積層形成装置にあっては、折帖Ｓを高速で搬送する高速搬送ベルト３９，４０，４１，４２，４３と、高速搬送ベルト３９，４０，４１，４２，４３より折帖Ｓの搬送方向の下流側に設けられて上面部で折帖Ｓを支持して低速で搬送する低速搬送ベルト４４，４５，４６，４７とを設けると共に、高速上搬送ベルト３９，４１により搬送される折帖Ｓの後端部を下方に押し下げるキッカー６２を設け、このキッカー６２より折帖Ｓの搬送方向の上流側に折帖Ｓの後端部側を挟持して減速させる減速ローラ６３，６４を設けている。
【００７１】
従って、高速上搬送ベルト３９，４１より高速で搬送される折帖Ｓに対して、減速ローラ６３，６４がその折帖Ｓの後端部側を挟持して減速させることで、折帖Ｓの姿勢を安定させることができ、この状態で、キッカー６２が折帖Ｓの後端部を下方に押し下げ、折帖Ｓを低速下搬送ベルト４５，４７に移行して低速で搬送し、折帖Ｓを適正にラップさせることができ、製品品質を向上することができる。
【００７２】
また、実施例１のシートの積層形成装置では、減速ローラ６３，６４を、高速上搬送ベルト３９，４１による搬送速度より低速で、且つ、低速下搬送ベルト４５，４７による搬送速度より高速で回転して搬送経路Ａ，Ｂを挟んで互いに対向して設け、上減速ローラ６３の外周面に折帖Ｓを所定時間の間だけ挟持する突出部６３ａを設けている。従って、
高速上搬送ベルト３９，４１により搬送される折帖Ｓに対して、所定速度で回転する一対の減速ローラ６３，６４が所定時間だけ挟持して減速することとなり、簡単な構成で折帖Ｓの搬送姿勢にほとんど影響を与えずに適正に減速することができる。
【００７３】
また、実施例１のシートの積層形成装置では、キッカー６２は、減速ローラ６３，６４による挟持が解除された折帖Ｓの後端部を下方に押し下げるようにしている。従って、折帖Ｓは、減速された後に減速ローラ６３，６４から解除された状態で、キッカー６２により後端部が下方に押し下げられることとなり、折帖Ｓを適正に高速上搬送ベルト３９，４１から離間させることができる。
【００７４】
また、実施例１のシートの積層形成装置では、キッカー６２により下方に押し下げられた折帖Ｓの後端部を保持して浮き上がりを阻止するガイド部材６９を設けている。従って、折帖Ｓは、キッカー６２より下方に押し下げられた後、折帖Ｓの後端部がガイド部材６９により保持されて浮き上がりが阻止されることとなり、折帖Ｓを安定して搬送することで、次に搬送される折帖Ｓとの接触を回避し、折帖Ｓの損傷を防止することができる。この場合、ガイド部材６９は、折帖Ｓの後端部における幅方向端部を係止することから、折帖Ｓにおける側部の暴れが抑制され、次に搬送される折帖Ｓとの接触を適正に防止することができる。
【００７５】
また、実施例１のシートの積層形成装置では、折帖Ｓの搬送速度に応じてガイド部材６９を上下に移動可能なエアシリンダ７０を設けている。従って、輪転印刷機の始動直後は、ウェブＷ及び折帖Ｓの搬送速度が低速であり、この場合、ガイド部材６９が搬送される折帖Ｓに悪影響を与えないように、エアシリンダ７０によりガイド部材６９を下方に移動しておくこととなり、エアシリンダ７０により折帖Ｓの搬送速度に応じてガイド部材６９を上下に移動調整することで、折帖Ｓの後端部の暴れを適正に抑制することができる。
【００７６】
また、実施例１のオフセット輪転印刷機にあって、給紙装置１１とインフィード装置１２と印刷装置１３と乾燥装置１４と冷却装置１５とウェブパス装置１６と折り装置１７と排紙装置１８により構成し、排紙装置１８に積層形成装置４８，４９を設け、この積層形成装置４８，４９を、高速搬送ベルト３９，４０，４１，４２，４３と、低速搬送ベルト４４，４５，４６，４７と、高速上搬送ベルト３９，４１により搬送される折帖Ｓの後端部を下方に押し下げるキッカー６２と、このキッカー６２より折帖Ｓの搬送方向の上流側に設けられて折帖Ｓの後端部側を挟持して減速させる減速ローラ６３，６４とで構成している。
【００７７】
従って、排紙装置１８にて、高速上搬送ベルト３９，４１より高速で搬送される折帖Ｓに対して、減速ローラ６３，６４がその折帖Ｓの後端部側を挟持して減速させることで折帖Ｓの姿勢を安定させることができ、この状態でキッカー６２が折帖Ｓの後端部を下方に押し下げ、折帖Ｓを低速下搬送ベルト４５，４７に移行して低速で搬送し、折帖Ｓを適正にラップさせることができ、製品品質を向上することができる。
【００７８】
また、実施例１のオフセット輪転印刷機にあって、積層形成装置４８，４９を、高速搬送ベルト３９，４０，４１，４２，４３と、低速搬送ベルト４４，４５，４６，４７と、高速上搬送ベルト３９，４１により搬送される折帖Ｓの後端部を下方に押し下げるキッカー６２と、このキッカー６２より下方に押し下げられた折帖Ｓの後端部を保持して浮き上がりを阻止するガイド部材６９とで構成している。従って、排紙装置１８にて、高速上搬送ベルト３９，４１より高速で搬送される折帖Ｓに対して、キッカー６２が折帖Ｓの後端部を下方に押し下げ、折帖Ｓを高速上搬送ベルト３９，４１から離間すると、ガイド部材６９によりこの折帖Ｓの後端部が保持されて浮き上がりが阻止されることとなり、折帖Ｓを安定して搬送することで、次に搬送される折帖Ｓとの接触を防止し、折帖Ｓを低速搬送ベルト４５，４７に移行して低速で搬送し、折帖Ｓを適正にラップさせることができ、製品品質を向上することができる。
【実施例２】
【００７９】
図６は、本発明の実施例２に係るシートの積層形成装置を表す概略正面図である。なお、前述した実施例で説明したものと同様の機能を有する部材には同一の符号を付して重複する説明は省略する。
【００８０】
実施例２のシートの積層形成装置８０において、図６に示すように、第１高速上搬送ベルト３９とテーブル６１により挟持されて搬送される折帖Ｓの後端部を下方に押し下げる第１シート押し下げ機構としての第１キッカー６２と、第２シート押し下げ機構としての第２キッカー８１が設けられ、この第１キッカー６２より折帖Ｓの搬送方向の上流側に折帖Ｓの後端部側を挟持して減速させる減速機構としての一対の減速ローラ６３，６４が設けられている。
【００８１】
即ち、第１高速上搬送ベルト３９と第１低速下搬送ベルト４５が対向する位置であって、第１高速上搬送ベルト３９の上方に折帖Ｓの搬送方向に直行する方向に沿う第１回転軸６５と第２回転軸８２がフレームに回転自在に支持され、この第１回転軸６５の外周部に軸方向に所定間隔で第１キッカー６２が固定され、第２回転軸８２の外周部に軸方向に所定間隔で第２キッカー８１が固定されている。この各キッカー６２，８１はカムローラとして機能し、外周部が外方に突出する突出部６２ａ，８１ａが一体に形成されている。なお、各キッカー６２，８１は、各第１高速上搬送ベルト３９の上方に対向しない位置に配設されている。
【００８２】
従って、テーブル６１と第１高速上搬送ベルト３９とにより挟持されて搬送される折帖Ｓは、まず、回転する第２キッカー８１により第１高速上搬送ベルト３９から引き剥がされ、次に、回転する第１キッカー６２により第１高速上搬送ベルト３９から引き剥がされ、所定の段差をもって配設された下方の第１低速下搬送ベルト４５に受け渡すことができる。
【００８３】
なお、減速ローラ６３，６４、ガイド部材６９などの構成は、上述した実施例１と同様であるため、説明は省略する。
【００８４】
このように構成された第１積層形成装置８０において、先行する折帖Ｓ１は、先端部が各減速ローラ６３，６４及びキッカー６２，８１を通過し、後端部が第１高速上搬送ベルト３９とテーブル６１に支持された状態で、この先端部がガイド板７１にガイドされる。そして、この折帖Ｓ１は、後端部が一対の減速ローラ６３，６４により挟持されることで、そのニップ部により減速される。このとき、折帖Ｓ１は、先端部側が第１高速上搬送ベルト３９により高速で走行する一方、後端部が減速ローラ６３，６４により挟持されるため、この折帖Ｓ１に張力が付与されることで姿勢が安定し、後端部の暴れが抑制される。
【００８５】
その後、減速ローラ６３，６４による挟持が解除されてから、まず、第２キッカー８１が折帖Ｓ１の後端部を第１高速上搬送ベルト３９の搬出端と第１低速下搬送ベルト４５との間に形成した落差を利用して第１低速下搬送ベルト４５に向けて押し下げて落す。次に、第１キッカー６２が折帖Ｓ１の後端部を第１低速下搬送ベルト４５に向けて押し下げて落す。このとき、折帖Ｓ１の後端部がガイド部材７１に係止されることで、暴れが抑制され、後続する折帖Ｓ２の先端部との接触が回避される。そして、各キッカー８１，６２の作用により折帖Ｓ１の後端部が押し下げられることで、後続の折帖Ｓ２の先端部が第１低速下搬送ベルト４５に落下した先行する折帖Ｓ１の後端部の上方にオーバーラップし、刺身状に積層された状態で、第１低速上搬送ベルト４４と第１低速下搬送ベルト４５に挟持されて搬送される。
【００８６】
このように実施例２のシートの積層形成装置にあっては、高速上搬送ベルト３９，４１により搬送される折帖Ｓの後端部を下方に押し下げる第１キッカー６２及び第２キッカー８１を設けると共に、この各キッカー６２，８１より折帖Ｓの搬送方向の上流側に折帖Ｓの後端部側を挟持して減速させる減速ローラ６３，６４を設けている。
【００８７】
従って、高速上搬送ベルト３９，４１より高速で搬送される折帖Ｓに対して、減速ローラ６３，６４がその折帖Ｓの後端部側を挟持して減速させることで、折帖Ｓの姿勢を安定させることができ、この状態で、第１、第２キッカー６２，８１が折帖Ｓの後端部を下方に押し下げ、折帖Ｓを低速下搬送ベルト４５，４７に移行して低速で搬送し、折帖Ｓを適正にラップさせることができ、製品品質を向上することができる。
【００８８】
また、実施例２のシートの積層形成装置では、折帖Ｓの搬送方向の上流側から下流側に並んだ第１キッカー６２及び第２キッカー８１を設けている。従って、折帖Ｓは、２つのキッカー６２，８１により連続して後端部が下方に押し下げられることとなり、この折帖Ｓを長期間にわたって安定して保持し、第１低速下搬送ベルト４５に移行して低速で搬送することができる。
【００８９】
また、実施例２の積層形成装置では、第１、第２キッカー６２，８１の外周部に折帖Ｓの後端部を押し下げる第１突出部６２ａ及び第２突出部８１ａを設け、第１高速上搬送ベルト３９により搬送される折帖Ｓに対して、第２突出部８１ａが折帖Ｓの後端部を下方に押し下げた後、第１突出部６２ａが折帖Ｓの後端部を押し下げるようにしている。従って、折帖Ｓは、第２突出部８１ａにより後端部が押し下げられた後、続いて、第１突出部６２ａにより後端部が押し下げられることとなり、この折帖Ｓを長期間にわたって安定して搬送し、適正に第１低速下搬送ベルト４５に移行することができる。
【００９０】
なお、上述した各実施例では、先行する折帖の後端部に後続の折帖の先端部を重ねて刺身状とする積層形成装置に関するものであり、上述した給紙装置１１、インフィード装置１２、印刷装置１３、乾燥装置１４、冷却装置１５、ウェブパス装置１６、折り装置１７に限定されるものではなく、排紙装置１８にあっても、振り分け装置３８をなくしてもよい。また、取り扱うシートも、折帖に限らず、１枚の紙であってもよい。
【産業上の利用可能性】
【００９１】
本発明に係るシートの積層形成装置及び輪転印刷機は、シートを安定して搬送することで製品品質の向上を図るものであり、いずれの輪転印刷機にも適用することができる。
【図面の簡単な説明】
【００９２】
【図１】本発明の実施例１に係るシートの積層形成装置を表す概略正面図である。
【図２】実施例１のシートの積層形成装置を表す概略平面図である。
【図３−１】実施例１のシートの積層形成装置の作用を表す概略図である。
【図３−２】実施例１のシートの積層形成装置の作用を表す概略図である。
【図３−３】実施例１のシートの積層形成装置の作用を表す概略図である。
【図３−４】実施例１のシートの積層形成装置の作用を表す概略図である。
【図３−５】実施例１のシートの積層形成装置の作用を表す概略図である。
【図３−６】実施例１のシートの積層形成装置の作用を表す概略図である。
【図４】実施例１のシートの積層形成装置が適用された折装置の概略図である。
【図５】実施例１のシートの積層形成装置が適用されたオフセット輪転印刷機を表す概略図である。
【図６】本発明の実施例２に係るシートの積層形成装置を表す概略正面図である。
【符号の説明】
【００９３】
１１  給紙装置
１２  インフィード装置
１３  印刷装置
１４  乾燥装置
１５  冷却装置
１６  ウェブパス装置
１７  折り装置
１８  排紙装置
３９  第１高速上搬送ベルト
４０  第１高速下搬送ベルト
４１  第２高速上搬送ベルト
４２  第２高速下搬送ベルト
４４  第１低速上搬送ベルト
４５  第１低速下搬送ベルト
４６  第２低速上搬送ベルト
４７  第２低速下搬送ベルト
４８，８０  第１積層形成装置
４９  第２積層形成装置
６１  テーブル
６２  キッカー、第１キッカー（シート押し下げ機構、第１シート押し下げ機構）
６３  上減速ローラ（減速機構）
６４  下減速ローラ（減速機構）
６９  ガイド部材（シート保持機構）
６９ａ  突出部（挟持部）
７０  エアシリンダ（ガイド移動機構）
８１  第２キッカー（第２シート押し下げ機構）
Ｗ  ウェブ（シート）
Ｓ，Ｓ１，Ｓ２，Ｓ３  折帖（シート）
【図１】
2009096630.tif 000003
【図２】
2009096630.tif 000004
【図３−１】
2009096630.tif 000005
【図３−２】
2009096630.tif 000006
【図３−３】
2009096630.tif 000007
【図３−４】
2009096630.tif 000008
【図３−５】
2009096630.tif 000009
【図３−６】
2009096630.tif 000010
【図４】
2009096630.tif 000011
【図５】
2009096630.tif 000012
【図６】
2009096630.tif 000013